【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
蛇腹状のコルゲート管をガス配管等に接続するための継手であって、
前記コルゲート管を前記継手内に押し込み、その後、前記コルゲート管が挿入される前記継手の内孔手前部分にスライド可能に配置されたスリーブをスライドさせることによって、前記コルゲート管端部が前記継手から抜き出し不能に固定されることを特徴とするコルゲート管用差込み継手。
【請求項２】
前記コルゲート管が挿入される内孔を有する筒状の継手本体と、前記内孔内に配置され、前記コルゲート管の外周面に密着する気密パッキンと、前記内孔内に配置され、前記コルゲート管の環状凹部に係合する爪、及び、前記内孔手前側に行くほど内側にすぼまるように形成された外周テーパ面、を有するリテーナと、前記継手本体の内孔内で奥方向にスライド可能であるとともに、前記リテーナ外周テーパ面に押し当たる内周テーパ面を有するリテーナ押しスリーブと、前記内孔内に挿入された前記コルゲート管の挿入側端部が当接する受け部を有するけん引部材と、を備えることを特徴とする請求項１記載のコルゲート管用差込み継手。
【請求項３】
前記リテーナ押しスリーブが最終挿入位置まで押し込まれた状態で、前記けん引部材の受け部と、前記継手本体内の段部端面との間に隙間が確保されていることを特徴とする、請求項１又は２記載のコルゲート管用差込み継手。
【請求項４】
前記リテーナ押しスリーブが、手前側の大径部と奥側の筒状挿入部とを有し、
該筒状挿入部の外周と前記継手本体の内周との間に、前記リテーナ押しスリーブと前記継手本体とを固定するためのストッパリングが介装されていると共に、
該大径部と前記継手本体との間に挟まるように、取外し可能な位置決めカラーが装着されていることを特徴とする、請求項１〜３のいずれか１項に記載のコルゲート管用差込み継手。
【請求項５】
前記リテーナ押しスリーブを、前記直前位置から前記最終挿入位置へと押し込んだ際に、前記リテーナが前記内孔奥方向に押されて移動し、それにより前記気密パッキンが圧縮されることを特徴とする、請求項４に記載のコルゲート管差込み継手。
【請求項６】
前記リテーナと前記気密パッキンとの間に、該気密パッキンよりも高剛性な部材が設けられていることを特徴とする、請求項１〜５のいずれか１項に記載のコルゲート管用差込み継手。
【請求項７】
前記位置決めカラーは、前記リテーナ押しスリーブの前記筒状挿入部に装着されたリング状の部材であり、
前記リテーナ押しスリーブを初期位置に位置させるための厚肉部と、前記リテーナ押しスリーブを前記直前位置で停止させるための薄肉部と、を有していることを特徴とする、請求項４〜６のいずれか１項に記載のコルゲート管用差込み継手。
【請求項８】
前記位置決めカラーは、前記厚肉部と前記薄肉部との境界部分にスリットを有し、人手により、前記厚肉部を前記薄肉部から切り離すことができることを特徴とする、請求項７に記載のコルゲート管用差込み継手。
【請求項９】
前記薄肉部がＣ字型であり、該薄肉部を前記筒状挿入部から取り外す際に人の指を掛けることができるように、前記筒状挿入部の径方向外側にせり出した一対の指掛け部が形成されていることを特徴とする、請求項８又は９に記載のコルゲート管用差込み継手。
【請求項１０】
前記位置決めカラーとして、
いずれも前記筒状挿入部に取外し可能に装着された２つのＣ字型リングを有し、
該２つのＣ字型リングを装着した際に、前記リテーナ押しスリーブが初期位置に規定され、
該２つのＣ字型リングの一方を取り外すことで、前記リテーナ押しスリーブを前記直前位置まで移動させることが可能となることを特徴とする、請求項４に記載のコルゲート管用差込継手。
【請求項１１】
一方の前記Ｃ字型リングを取り外す方向と、他方の前記Ｃ字型リングを取り外す方向とが異なることを特徴とする、請求項１０に記載のコルゲート管用差込継手。
【請求項１２】
前記各Ｃ字型リングには、該リングを取り外す際に人の指を掛けることができるように、前記筒状挿入部の径方向外側にせり出した一対の指掛け部が形成されていることを特徴とする、請求項１１に記載のコルゲート管用差込継手。
【手続補正２】
【補正対象書類名】明細書
【補正対象項目名】０００６
【補正方法】変更
【補正の内容】
【０００６】
上記目的を達成するための、本発明のコルゲート管用差込み継手は、  蛇腹状のコルゲート管をガス配管等に接続するための継手であって、 前記コルゲート管を前記継手内に押し込み、その後、前記コルゲート管が挿入される前記継手の内孔手前部分にスライド可能に配置されたスリーブをスライドさせることによって、前記コルゲート管端部が前記継手から抜き出し不能に固定されることを特徴とする。
本発明のコルゲート管用差込み継手においては、前記コルゲート管が挿入される内孔を有する筒状の継手本体と、前記内孔内に配置され、前記コルゲート管の外周面に密着する気密パッキンと、前記内孔内に配置され、前記コルゲート管の環状凹部に係合する爪、及び、前記内孔手前側に行くほど内側にすぼまるように形成された外周テーパ面、を有するリテーナと、前記継手本体の内孔内で奥方向にスライド可能であるとともに、前記リテーナ外周テーパ面に押し当たる内周テーパ面を有するリテーナ押しスリーブと、前記内孔内に挿入された前記コルゲート管の挿入側端部が当接する受け部を有するけん引部材と、を備えることとできる。
本発明に関連するコルゲート管用差込み継手は、外周に環状の凹凸が形成されたコルゲート管が挿入される内孔を有する筒状の継手本体と、前記内孔内に配置され、前記コルゲート管の外周面に密着する気密パッキンと、前記内孔内に配置され、前記コルゲート管の環状凹部に係合する爪を有するリテーナと、前記継手本体の内孔内で奥方向にスライドして前記リテーナを押し、それにより該リテーナの前記爪が前記コルゲート管の環状凹部に係合するリテーナ押しスリーブと、前記内孔内に挿入された前記コルゲート管の挿入側端部が当接する受け部、及び、前記リテーナ押しスリーブに係合するスリーブ係合部を有するけん引部材と、を備え、前記内孔内への前記コルゲート管の挿入に応じて、前記けん引部材が前記継手本体の内孔奥方向に移動し、それと共に前記リテーナ押しスリーブが該けん引部材に引かれて同方向に移動することを特徴とする。
【手続補正３】
【補正対象書類名】明細書
【補正対象項目名】０００７
【補正方法】変更
【補正の内容】
【０００７】
上記本発明に関連するコルゲート管用差込み継手を使用するにあたっては、まず、コルゲート管の端部を継手本体内に挿入し、該コルゲート管の挿入側端部を、継手本体内の奥側に位置しているけん引部材の受け部に押し当てる。コルゲート管をさらに押し込むと、それに合わせて、けん引部材が押されて内孔奥方向に移動する。ここで、けん引部材は、そのスリーブ係合部を介してリテーナ押しスリーブに連結されているので、このけん引部材の移動と共にリテーナ押しスリーブが継手本体内に引き込まれる。リテーナ押しスリーブが最終位置まで引き込まれると（押し込まれると）、リテーナの爪がコルゲート管外周の環状凹部に係合する。以上一連の動作により、コルゲート管の端部が、継手本体から抜き出し不能に固定されることとなる。
なお、リテーナとリテーナ押しスリーブの具体的な構成としては、一例として、リテーナとリテーナ押しスリーブのそれぞれにテーパを設け、該テーパ同士が係合摺動することで、リテーナの爪が縮径方向に移動するものとすることができる。
【手続補正４】
【補正対象書類名】明細書
【補正対象項目名】００８０
【補正方法】変更
【補正の内容】
【００８０】
けん引部材７０の上記移動に合わせて、けん引部材７０の爪７３が引っ掛けられていたリテーナ押しスリーブ５０が、同方向に移動し、継手本体１０内に引き込まれる（図５参照）。リテーナ押しスリーブ５０は、位置決めカラー９０の薄肉部９５に大径部５１が突き当たる位置（直前位置）となるまで移動し、そこで停止する。この動作において、作業者は、位置決めカラー９０の薄肉部９５が挟まれたことでコルゲート管Ｔが所定位置（固定位置）に到達したことを、視覚的及び触覚的に確認することができる。なお、図４（図７（Ｂ））及び図５（図７（Ｃ））から明らかなように、リテーナ押しスリーブ５０が移動するのに合わせて、リテーナ４０が継手本体１０の内孔奥方向に移動している。